(57)【特許請求の範囲】
【請求項１】
外殻の一部を構成し手を挿抜可能な処理空間からなる手挿入部を備えたケーシングと、
前記手挿入部の上方から下方に向かって空気流を噴出させるノズルと、
前記手挿入部の下方に配置されて前記手挿入部を下方から覆う底面側水受け部と、
前記底面側水受け部の端縁部に設けられる底面側の防水壁と、
を備え、
前記底面側の防水壁は、
前記ケーシングの高さ方向に垂直な垂直面が設けられておらず、
前記底面側水受け部の端縁部から立ち上がった状態に設けられる底面側の防水壁立ち上がり部と、
上面を形成し、前記底面側の防水壁立ち上がり部の上端に接続して前記底面側の防水壁立ち上がり部より外側寄りに設けられて外向きの上り勾配を有する底面側の防水壁傾斜部と、
を備えることを特徴とする手乾燥装置。
【請求項２】
前記底面側の防水壁立ち上がり部が外向きの上り勾配を有し、
前記底面側の防水壁傾斜部の上り勾配が、前記底面側の防水壁立ち上がり部の上り勾配よりも緩やかであること、
を特徴とする請求項１に記載の手乾燥装置。
【請求項３】
前記底面側の防水壁は、前記底面側水受け部の左右および前方の前記底面側水受け部の端縁部の全長にわたって設けられること、
を特徴とする請求項２に記載の手乾燥装置。
【請求項４】
前記手挿入部の後方に配置される背面側水受け部を有し、
前記背面側水受け部の端縁部から前方に向かって延びる背面側の防水壁立ち上がり部と、
前記背面側の防水壁立ち上がり部に接続して前記背面側の防水壁立ち上がり部より外側寄りに設けられて、前方に向かうにしたがって外側に向かう方向に傾斜し、下部において前記底面側の防水壁傾斜部に繋がる背面側の防水壁傾斜部と、
を備える背面側の防水壁を有し、
前記手乾燥装置の左右方向において、前記底面側の防水壁傾斜部の幅は、前記背面側の防水壁傾斜部の幅と同一であること、
を特徴とする請求項１から３のいずれか１つに記載の手乾燥装置。
【請求項５】
前記手挿入部の後方に配置される背面側水受け部を有し、
前記背面側水受け部の端縁部から前方に向かって延びる背面側の防水壁立ち上がり部と、
前記背面側の防水壁立ち上がり部に接続して前記背面側の防水壁立ち上がり部より外側寄りに設けられて、前方に向かうにしたがって外側に向かう方向に傾斜し、下部において前記底面側の防水壁傾斜部に繋がる背面側の防水壁傾斜部と、
を備える背面側の防水壁を有し、
前記手乾燥装置の左右方向において、前記底面側の防水壁傾斜部の幅は、前記背面側の防水壁傾斜部の幅よりも広いこと、
を特徴とする請求項１から３のいずれか１つに記載の手乾燥装置。
【請求項６】
前記ケーシングの奥行は、１５０ｍｍ以下であること、
を特徴とする請求項１から５のいずれか１つに記載の手乾燥装置。
【発明の詳細な説明】
【技術分野】
【０００１】
本発明は、洗浄後の濡れた手を乾燥させるための手乾燥装置に関する。
【背景技術】
【０００２】
従来、温風空気または高速空気流を濡れた手に当てることで手を乾燥させる手乾燥装置が知られている。特許文献１には、外部に向かって開口した挿入口から手を抜き差しできる乾燥室と、乾燥室に向けて空気を送出するノズルと、ノズルから空気を送出するファンモータとを備え、乾燥室の下方の水受け部が２部品により構成された手乾燥装置が開示されている。また、水受け部は、２部品のうち少なくとも１部品を取り外しできる構成とされ、水受け部は２部品を嵌合して構成され、嵌合部が隙間を形成し排水口となっている。【０００３】
また、水受け部は、吹き飛ばされた水滴を乾燥室の下方で受ける水受け底面と、水受け底面の前方に壁状に立ち上げられた水受けかえり部を備える。水受けかえり部が設けられることで、水受け底面上の水滴が前方にこぼれることが防がれる。
【先行技術文献】
【特許文献】
【０００４】
【特許文献１】特許第４０６９９５６号公報
【発明の概要】
【発明が解決しようとする課題】
【０００５】
しかしながら、上記特許文献１の水受けかえり部は、上面の形状が水平面とされている。このため、水受けかえり部の上面に付着した水滴は水受け内面部に流れない。そして、つぎの使用者が手乾燥装置を使用する際に、水受けかえり部の上面に残っている水滴が、手に当たった空気流によって手乾燥装置の外部に飛散することがあり、床または手乾燥装置の下方の洗面台を濡らしてしまう、という問題があった。【０００６】
また、手から吹き飛ばされた水滴には、水分だけではなく、石鹸または洗剤の成分、使用者の手の皮脂および汚れが含まれているため、乾いたときに臭いが発生する。このため、水受けかえり部の上面に残っている水滴が乾いた場合には、臭いが発生する、という問題があった。【０００７】
本発明は、上記に鑑みてなされたものであって、手乾燥装置と周囲の衛生性を向上させた手乾燥装置を得ることを目的とする。
【課題を解決するための手段】
【０００８】
上述した課題を解決し、目的を達成するために、本発明にかかる手乾燥装置は、外殻の一部を構成し手を挿抜可能な処理空間からなる手挿入部を備えたケーシングと、手挿入部の上方から下方に向かって空気流を噴出させるノズルと、手挿入部の下方に配置されて手挿入部を下方から覆う底面側水受け部と、底面側水受け部の端縁部に設けられる底面側の防水壁と、を備える。底面側の防水壁は、ケーシングの高さ方向に垂直な垂直面が設けられておらず、底面側水受け部の端縁部から立ち上がった状態に設けられる底面側の防水壁立ち上がり部と、上面を形成し、底面側の防水壁立ち上がり部の上端に接続して底面側の防水壁立ち上がり部より外側寄りに設けられて外向きの上り勾配を有する底面側の防水壁傾斜部と、を備える。
【発明の効果】
【０００９】
本発明にかかる手乾燥装置は、手乾燥装置と周囲の衛生性を向上させることができる、という効果を奏する。
【図面の簡単な説明】
【００１０】
【図１】本発明の実施の形態１にかかる手乾燥装置の斜視図
【図２】本発明の実施の形態１にかかる手乾燥装置においてドレン容器と着脱底面部とを取り外した状態を示す斜視図
【図３】本発明の実施の形態１にかかる手乾燥装置の左右方向の中央部における、側面に沿った断面図
【図４】本発明の実施の形態１にかかる手乾燥装置のドレン容器とケーシングとの係止状態を示す断面図
【図５】本発明の実施の形態１にかかる手乾燥装置のドレン容器と着脱底面部との斜視図
【図６】本発明の実施の形態１にかかる手乾燥装置の水受け部の詳細を示す手乾燥装置の縦断面図
【図７】本発明の実施の形態１にかかる手乾燥装置の水受け部の詳細を示す手乾燥装置の横断面図
【図８】本発明の実施の形態１にかかる手乾燥装置の水受け部の他の形態を示す要部斜視図
【図９】本発明の実施の形態１にかかる手乾燥装置のドレン容器と着脱底面部とを連結した状態を示す断面図
【図１０】本発明の実施の形態１にかかる手乾燥装置のドレン容器と着脱底面部とを連結する前の状態を示す断面図
【図１１】本発明の実施の形態１にかかる手乾燥装置のドレン容器から着脱底面部を取り外した状態を示す断面図
【図１２】本発明の実施の形態１にかかる手乾燥装置のドレン容器と着脱底面部とを連結した状態を示す断面図
【発明を実施するための形態】
【００１１】
以下に、本発明の実施の形態にかかる手乾燥装置を図面に基づいて詳細に説明する。なお、この実施の形態によりこの発明が限定されるものではない。
【００１２】
実施の形態１．
図１は、本発明の実施の形態１にかかる手乾燥装置１００の斜視図である。図２は、本発明の実施の形態１にかかる手乾燥装置１００においてドレン容器６と着脱底面部４２ｂとを取り外した状態を示す斜視図である。図３は、本発明の実施の形態１にかかる手乾燥装置１００の左右方向の中央部における、側面に沿った断面図である。図４は、本発明の実施の形態１にかかる手乾燥装置１００のドレン容器６とケーシング１との係止状態を示す断面図である。図５は、本発明の実施の形態１にかかる手乾燥装置１００のドレン容器６と着脱底面部４２ｂとの斜視図である。なお、図４においては、一部の部品の記載を省略している。本実施の形態１において、前後方向は、手乾燥装置１００の奥行き方向である。本実施の形態１において、左右方向は、手乾燥装置１００を正面から見た左右方向である。
【００１３】
図１から図４に示すように、手乾燥装置１００の外殻をなすケーシング１は、手を乾燥するために人が立つ手乾燥装置１００の正面側および側面側に手挿入口２を有し、手挿入口２に続く処理空間として手挿入部３を備えており、手を挿抜できるようにしてある。ケーシング１は、後述する高圧空気流発生装置８および図示しない制御回路といった構成部を内部に収容する。手挿入部３は、ケーシング１の正面側の下部に、正面と両側面とが開放されたシンク状の凹部として形成されており、正面側および両側面側から手を挿抜できるようにしてある。すなわち、手挿入部３は、正面と両側面とが開放されることによってケーシング１の正面の下部に形成された凹部の内側の空間であって、手を乾燥するための空間である。
【００１４】
手挿入部３の底部側と後ろ側とには、水受け部４が形成されている。水受け部４は、手挿入部３の下方に配置されて手挿入部３を下方から覆う。水受け部４の左右方向および前方の端縁部には、前方または上方に突出した曲面構成の立ち上がりによる防水壁４４が設けられ、手挿入部３の側方および前方に水が飛散しないようになっている。
【００１５】
水受け部４は、複数の部品によって構成されており、手挿入部３の後ろ側において手乾燥装置１００の高さ方向に延在して設けられた立壁面を有する背面部である背面側水受け部４ａと、手挿入部３の底部側に設けられた底面部である底面側水受け部４ｂとを備える。すなわち、水受け部４は、手挿入部３の底部側から後ろ側にわたって、手乾燥装置１００の側面に沿った断面において断面Ｌ形状に設けられている。
【００１６】
背面側水受け部４ａは、手挿入部３の後ろ側に設けられている。底面側水受け部４ｂは、背面側水受け部４ａの下部につながり手乾燥装置１００の正面側に向かって延在してケーシング１に固定された固定底面部４１ｂと、ドレン容器６の上端部６ａを覆いドレン容器６に対して着脱自在に設けられたトレイ形状の着脱底面部４２ｂとに分割されている。背面側水受け部４ａと固定底面部４１ｂとは、一体に形成されており、またケーシング１の一部を構成している。着脱底面部４２ｂは、ドレン容器６とともにケーシング１に対して着脱可能である。
【００１７】
着脱底面部４２ｂは、正面側から後ろ側に向かって下がるように傾斜しており、傾斜の下端に排水口５が設けられている。着脱底面部４２ｂにおける後ろ側の外縁領域４２ｂａと、固定底面部４１ｂにおける前方側の外縁領域４１ｂａとは、前後方向において重複して重複領域４３をなしている。また、重複領域４３において、外縁領域４２ｂａは、外縁領域４１ｂａとの間に排水口５となる隙間を有した状態で外縁領域４１ｂａの上方に配置されている。
【００１８】
すなわち、固定底面部４１ｂの左右方向における中央側には、前方に突出して延在する突出部４１ｂｂが設けられている。突出部４１ｂｂは、外縁領域４１ｂａに対応している。ドレン容器６がケーシング１に装着された状態においては、突出部４１ｂｂが外縁領域４２ｂａと上下に重複することで、重複領域４３および排水口５が構成される。
【００１９】
防水壁４４は、手から吹き飛ばされた水滴、および手から吹き飛ばされて背面側水受け部４ａまたは底面側水受け部４ｂに付着した水滴が、手挿入部３の外へ飛散することを防止する。防水壁４４は、水受け部４の外側全周に設けられている。図６は、本発明の実施の形態１にかかる手乾燥装置１００の水受け部４の詳細を示す手乾燥装置１００の縦断面図である。図７は、本発明の実施の形態１にかかる手乾燥装置１００の水受け部４の詳細を示す手乾燥装置１００の横断面図である。
【００２０】
防水壁４４は、手挿入部３の背面側または底面側に、水受け部４の端縁部から上方または前方に立ち上がった状態に水受け部４側に設けられる防水壁立ち上がり部４４ａと、防水壁立ち上がり部４４ａの上端に接続して防水壁立ち上がり部４４ａより外側寄りに設けられて外向きの上り勾配を有する防水壁傾斜部４４ｂと、を備える。防水壁傾斜部４４ｂは、水受け部４から離れるにしたがって外側に向かう方向に傾斜している。防水壁４４は、水受け部４の左右および前方の端縁部の全長にわたって設けられている。
【００２１】
手挿入部３の底面側には、底面側の防水壁立ち上がり部４４１ａと、底面側の防水壁傾斜部４４１ｂとを備える底面側の防水壁４４１が、底面側水受け部４ｂである着脱底面部４２ｂの左右の端縁部に設けられている。底面側の防水壁立ち上がり部４４１ａは、底面側水受け部４ｂの左右の端縁部から上方に向かって延びる第１の底面側の防水壁立ち上がり部である。底面側の防水壁傾斜部４４１ｂは、底面側の防水壁立ち上がり部４４１ａに接続して底面側の防水壁立ち上がり部４４１ａより外側寄りに設けられ、手乾燥装置１００の高さ方向において底面側水受け部４ｂから離れるにしたがって外側に向かう方向に傾斜した第１の底面側の防水壁傾斜部である。
【００２２】
すなわち、底面側の防水壁立ち上がり部４４１ａは、底面側の防水壁傾斜部４４１ｂとの境界から左右方向において手挿入部３の内部側に向かうにしたがって下がるように傾斜している。底面側の防水壁傾斜部４４１ｂは、底面側の防水壁４４１の外面から左右方向において手挿入部３の内部側に向かうにしたがって下がるように傾斜している。したがって、底面側の防水壁立ち上がり部４４１ａおよび底面側の防水壁傾斜部４４１ｂは、左右方向における手挿入部３の内部側ほど下方に傾斜している。すなわち、底面側の防水壁立ち上がり部４４１ａおよび底面側の防水壁傾斜部４４１ｂは、外向きの上り勾配を有している。
【００２３】
底面側の防水壁傾斜部４４１ｂの上り勾配は、底面側の防水壁立ち上がり部４４１ａの上り勾配よりも緩やかである。換言すると、手乾燥装置１００の高さ方向に垂直な垂直面に対する底面側の防水壁傾斜部４４１ｂの傾斜角度は、上記の垂直面に対する底面側の防水壁立ち上がり部４４１ａの傾斜角度よりも小さい。すなわち、図６に示すように、手乾燥装置１００の高さ方向に垂直な仮想垂直面１１１に対する底面側の防水壁傾斜部４４１ｂの傾斜角度β１は、仮想垂直面１１１に対する底面側の防水壁立ち上がり部４４１ａの傾斜角度α１よりも小さい。傾斜角度α１は、底面側の防水壁立ち上がり部４４１ａが仮想垂直面１１１から傾斜している角度であり、底面側の防水壁立ち上がり部４４１ａが仮想垂直面１１１となす角度である。傾斜角度β１は、底面側の防水壁傾斜部４４１ｂが仮想垂直面１１１から傾斜している角度であり、底面側の防水壁傾斜部４４１ｂが仮想垂直面１１１となす角度である。なお、底面側の防水壁立ち上がり部４４１ａは、傾斜角度α１が９０度とされて、鉛直方向に沿って設けられてもよい。
【００２４】
また、手挿入部３の底面側には、底面側の防水壁立ち上がり部４４２ａと、底面側の防水壁傾斜部４４２ｂとを備える底面側の防水壁４４２が、底面側水受け部４ｂである着脱底面部４２ｂの前方の端縁部に設けられている。底面側の防水壁立ち上がり部４４２ａは、底面側水受け部４ｂの前方の端縁部から上方に向かって延びる第２の底面側の防水壁立ち上がり部である。底面側の防水壁傾斜部４４２ｂは、底面側の防水壁立ち上がり部４４２ａに接続して底面側の防水壁立ち上がり部４４２ａより外側寄りに設けられ、手乾燥装置１００の高さ方向において底面側水受け部４ｂから離れるにしたがって外側に向かう方向に傾斜した第２の底面側の防水壁傾斜部である。
【００２５】
底面側の防水壁４４２の傾斜角度の条件は、底面側の防水壁４４１と同じである。すなわち、底面側の防水壁立ち上がり部４４２ａは、底面側の防水壁傾斜部４４２ｂとの境界から前後方向において手挿入部３の内部側に向かうにしたがって下がるように傾斜している。底面側の防水壁傾斜部４４２ｂは、底面側の防水壁４４２の外面から前後方向において手挿入部３の内部側に向かうにしたがって下がるように傾斜している。したがって、底面側の防水壁立ち上がり部４４２ａおよび底面側の防水壁傾斜部４４２ｂは、前後方向における手挿入部３の内部側ほど下方に傾斜している。すなわち、底面側の防水壁立ち上がり部４４２ａおよび底面側の防水壁傾斜部４４２ｂは、外向きの上り勾配を有している。
【００２６】
また、底面側の防水壁４４１と同様に、手乾燥装置１００の高さ方向に垂直な垂直面に対する底面側の防水壁傾斜部４４２ｂの傾斜角度は、上記の垂直面に対する底面側の防水壁立ち上がり部４４２ａの傾斜角度よりも小さい。
【００２７】
一方、手挿入部３の背面側には、背面側の防水壁立ち上がり部４４３ａと、背面側の防水壁傾斜部４４３ｂとを備える背面側の防水壁４４３が、背面側水受け部４ａの左右の端縁部に設けられている。背面側の防水壁立ち上がり部４４３ａは、背面側水受け部４ａの左右の端縁部から前方に向かって延びる。背面側の防水壁傾斜部４４３ｂは、背面側の防水壁立ち上がり部４４３ａに接続して背面側の防水壁立ち上がり部４４３ａより外側寄りに設けられ、前方に向かうにしたがって外側に向かう方向に傾斜している。
【００２８】
すなわち、背面側の防水壁立ち上がり部４４３ａは、背面側の防水壁傾斜部４４３ｂとの境界から左右方向において手挿入部３の内部側に向かうにしたがって後方に向かうように傾斜している。背面側の防水壁傾斜部４４３ｂは、背面側の防水壁４４３の外面から左右方向において手挿入部３の内部側に向かうにしたがって後方に向かうように傾斜している。したがって、背面側の防水壁立ち上がり部４４３ａおよび背面側の防水壁傾斜部４４３ｂは、左右方向における手挿入部３の内部側ほど後方に傾斜している。背面側の防水壁傾斜部４４３ｂの下部は、底面側の防水壁傾斜部４４１ｂに繋がっている。
【００２９】
手乾燥装置１００の高さ方向および左右方向に平行な平行面に対する背面側の防水壁傾斜部４４３ｂの傾斜角度は、上記の平行面に対する背面側の防水壁立ち上がり部４４３ａの傾斜角度よりも小さい。すなわち、図７に示すように、手乾燥装置１００の高さ方向に平行な仮想平行面１１２に対する背面側の防水壁傾斜部４４３ｂの傾斜角度β３は、仮想平行面１１２に対する背面側の防水壁立ち上がり部４４３ａの傾斜角度α３よりも小さい。傾斜角度α３は、背面側の防水壁立ち上がり部４４３ａが仮想平行面１１２から傾斜している角度であり、背面側の防水壁立ち上がり部４４３ａが仮想平行面１１２となす角度である。傾斜角度β３は、背面側の防水壁傾斜部４４３ｂが仮想平行面１１２から傾斜している角度であり、背面側の防水壁傾斜部４４３ｂが仮想平行面１１２となす角度である。なお、背面側の防水壁立ち上がり部４４３ａは、傾斜角度β３が９０度とされて、前後方向に沿って設けられてもよい。
【００３０】
防水壁４４に防水壁傾斜部４４ｂが設けられることによって、手から吹き飛ばされて防水壁傾斜部４４ｂに付着した水は、防水壁４４上に留まらず、またケーシング１の外部に流れずに防水壁傾斜部４４ｂを伝って流れて手挿入部３の背面側または底面側に流れ落ちる。底面側の防水壁傾斜部４４１ｂに付着した水滴は、自重によって底面側の防水壁傾斜部４４１ｂを伝って下方へ流れ落ち、底面側の防水壁立ち上がり部４４１ａを伝って、手挿入部３の下方の底面側水受け部４ｂである着脱底面部４２ｂに流れる。着脱底面部４２ｂに流れた水滴は、排水口５を経由してドレン容器６に溜まる。同様に、底面側の防水壁傾斜部４４２ｂに付着した水滴は、自重によって底面側の防水壁傾斜部４４２ｂを伝って下方へ流れ落ち、底面側の防水壁立ち上がり部４４２ａを伝って、着脱底面部４２ｂに流れる。着脱底面部４２ｂに流れた水滴は、排水口５を経由してドレン容器６に溜まる。
【００３１】
また、背面側の防水壁傾斜部４４３ｂに付着した水滴は、自重によって下方へ移動する。背面側の防水壁傾斜部４４３ｂの下部は、底面側の防水壁傾斜部４４１ｂに繋がっている。これにより、背面側の防水壁傾斜部４４３ｂに付着した水滴は、底面側の防水壁傾斜部４４１ｂを伝って下方へ流れ落ち、底面側の防水壁傾斜部４４１ｂおよび底面側の防水壁立ち上がり部４４１ａを伝って、手挿入部３の下方の底面側水受け部４ｂである着脱底面部４２ｂに流れる。着脱底面部４２ｂに流れた水滴は、排水口５を経由してドレン容器６に溜まる。
【００３２】
防水壁４４に防水壁傾斜部４４ｂが設けられていない場合には、手から吹き飛ばされた水滴が防水壁４４上に留まり、つぎに使用する使用者が手を手挿入部３に入れ、ノズル１２から空気流が吹き出された際に、手に当たって跳ね返った空気流によってケーシング１の外部に飛散してしまう可能性がある。手から吹き飛ばされた水滴には、水分だけではなく、石鹸または洗剤の成分、使用者の手の皮脂および汚れが含まれているため、乾いたときに臭いが発生する。また、手乾燥装置は、商業施設および飲食店といった多数の人が利用する場所に設置されることが多い。このため、手から吹き飛ばされた水滴は、手乾燥装置１００の使用後に速やかに水受け部４を流れ、ドレン容器６に回収できることが好ましい。
【００３３】
手乾燥装置１００は、上述した構造を有する防水壁４４を備えることにより、手から吹き飛ばされて防水壁４４に付着した水滴を速やかに水受け部４に流してドレン容器６に回収することが可能である。すなわち、手乾燥装置１００は、手から吹き飛ばされて底面側の防水壁傾斜部４４１ｂに付着した水滴、底面側の防水壁傾斜部４４２ｂおよび背面側の防水壁傾斜部４４３ｂに付着した水滴を、速やかに水受け部４に流してドレン容器６に回収することが可能である。
【００３４】
これにより、手乾燥装置１００は、前の使用者の使用時に防水壁４４の上面に残った水滴がつぎの使用者の手に当たった空気流によって手乾燥装置１００の外部に飛散することを抑制でき、使用後に防水壁４４上に残った水滴が床または手乾燥装置１００の下方の洗面台を濡らすことを抑制できる。そして、手乾燥装置１００は、手から吹き飛ばされて手乾燥装置１００の外部に飛散した水滴が乾くことに起因した臭いの発生を抑制できる。また、手乾燥装置１００は、防水壁４４の上面に水滴が残ることを抑制できるため、防水壁４４の上面に残った水滴が乾くことに起因した臭いの発生を抑制できる。また、手乾燥装置１００は、つぎに使用する使用者が防水壁４４上に留まっている水滴に触れてしまうことを抑制できる。したがって、手乾燥装置１００は、手乾燥装置１００の衛生性と、手乾燥装置１００が設置された周囲の衛生性とを向上させることができる。
【００３５】
また、手乾燥装置１００は、上記のように底面側の防水壁４４１において底面側の防水壁傾斜部４４１ｂの傾斜角度β１を、仮想垂直面１１１に対する底面側の防水壁立ち上がり部４４１ａの傾斜角度α１よりも小さくすることで、防水壁４４の先端部の角度を緩やかにすることができる。これにより、使用者の手が防水壁４４の端部に触れた際の衝撃を和らげることができる。手乾燥装置１００は、底面側の防水壁４４２および背面側の防水壁４４３についても、防水壁傾斜部の傾斜角度を防水壁立ち上がり部の傾斜角度よりも小さくすることで、同様の効果が得られる。
【００３６】
左右方向において、底面側の防水壁傾斜部４４１ｂの幅は、背面側の防水壁傾斜部４４３ｂの幅と同一とされている。これにより、背面側の防水壁傾斜部４４３ｂを流れ落ちた水滴が確実に底面側の防水壁傾斜部４４１ｂに流れ、ドレン容器６に回収される。また、使用者の目線に露出している底面側の防水壁傾斜部４４１ｂと背面側の防水壁傾斜部４４３ｂとがスムーズに接続されるため、手挿入部３の意匠性が向上する。
【００３７】
図８は、本発明の実施の形態１にかかる手乾燥装置１００の水受け部４の他の形態を示す要部斜視図である。図８に示すように、左右方向において底面側の防水壁傾斜部４４１ｂの幅は、背面側の防水壁傾斜部４４３ｂの幅よりも広く設けられてもよい。この場合は、水滴が傾斜面である底面側の防水壁傾斜部４４１ｂを流れる距離が長くなるため、底面側の防水壁傾斜部４４１ｂを流れる水滴に、より速い加速度が付加される。これにより、底面側の防水壁傾斜部４４１ｂを流れる水滴をより速やかに水受け部４に流してドレン容器６に回収することが可能である。
【００３８】
水受け部４の下方には、排水口５から滴下する水を貯留するドレン容器６が、ケーシング１に対して抜き差し自在に設けられている。ドレン容器６は、ケーシング１の一部であるケーシング係止突起部１９ａがドレン容器係止受け部１９ｂに係止されることで、ケーシング１に固定される。また、ケーシング１に装着されたドレン容器６は、固定底面部４１ｂの下方に設けられたタンク受け部８１によって後方部分が下方から保持される。ケーシング１に対するドレン容器６の着脱については後述する。
【００３９】
手挿入部３の内面には、シリコン系の撥水性コーティングもしくはフッ素系の撥水性コーティング、酸化チタンに代表される親水性を有する材料のコーティングといったコーティングが施され、または抗菌剤が含浸されている。これにより、手挿入部３の内面は、汚れが付着することが軽減されており、また細菌が繁殖することが低減されている。
【００４０】
手挿入部３の上方には、手挿入部３に向かって下方に高速空気を吹き出すノズル１２が設けられている。ノズル１２の背面側の近くには、手挿入部３における手の有無を検知する手検知センサ１４が設けられている。手挿入部３より上方に位置するケーシング１の側面には、吸気口９が形成されたメンテナンスパネル２０が配置されている。メンテナンスパネル２０の表面の一部においては、背面側から前面側に向かうにしたがって、左右方向における中央側に向かって傾斜する傾斜面が設けられている。そして、傾斜面の前面側の縁部とメンテナンスパネル２０の裏面との間に設けられた隙間によって吸気口９が構成されている。
【００４１】
手挿入部３の上方には、背面側の手乾燥装置１００の外殻をなすベース７とケーシング１とで箱体状の空間が構成される。ベース７は、固定保持板１６によってケーシング１の背面側に固定されている。箱体状の空間内には、ＤＣ（Ｄｉｒｅｃｔ  Ｃｕｒｒｅｎｔ）ブラシレスモータと、ＤＣブラシレスモータによって回転するターボファンとにより構成された空気流発生部である高圧空気流発生装置８と、手検知センサ１４における手の検知信号に応じて高圧空気流発生装置８の運転を制御する図示しない制御回路と、が組み込まれている。なお、ＤＣブラシレスモータの代わりに、整流子モータまたは誘導電動機が用いられてもよい。
【００４２】
また、箱体状の空間内には、高圧空気流発生装置８の吸気側と吸気口９とを連通する吸気風路１０と、高圧空気流発生装置８の排気側とノズル１２とを連通する排気風路１３と、が設けられている。排気風路１３の途中であってノズル１２より上流側には、高圧空気流発生装置８から送られてくる空気を加熱して温風化させるヒータ１５が設けられている。
【００４３】
つぎに、ノズル１２と排気風路１３の構成について説明する。排気風路１３は、高圧空気流発生装置８を覆うモータカバー３１に、高圧空気流発生装置８から発生する高圧空気流をシールするシール部品３２を介してノズル１２が連結されることで構成される。シール部品３２は、排気風路１３に配置されるヒータ１５の発熱を考慮して、耐熱性の高いシリコン樹脂製とすることが好ましい。モータカバー３１と排気風路１３とは、ネジで固定される。このため、手乾燥装置１００は、ヒータ１５および高圧空気流発生装置８の部品交換が容易とされており、また長期間使用した後での排気風路１３内の清掃も可能とされている。
【００４４】
排気風路１３は、前方に向かうにしたがって下方向に傾斜し、排気風路１３の途中部分で、下流側が後方に向かう方向に曲がった構造とされている。すなわち、排気風路１３は、上流側から下流側に向かうにしたがって下方向に傾斜し、排気風路１３の下流側の途中部分において後方に向かう方向に曲がった構造とされている。そして、排気風路１３の下流側に上述したノズル１２が設けられている。ノズル１２から手挿入部３に吹き出される吹き出し風は、排気風路１３の下流側の伸長方向に従って、後方に向かう。
【００４５】
これにより、ケーシング１を除くケーシング１の内部の構成部品の中で、前後方向において排気風路１３が最も前方に位置することになる。ノズル１２は、排気風路１３が後方に向かって曲がった後の下流に設けられる。そして、ケーシング１の前後方向において、シール部品３２において前方に位置する面であるシール部品前面３２ａの位置と、ノズル１２の位置とは、ほぼ同一の位置となる。
【００４６】
ケーシング１の前後方向の寸法は、ケーシング１の内部で最も前方に位置している排気風路１３の位置で決定される。ケーシング１の内部で最も前方に位置している排気風路１３の位置によって決定されたケーシング１の前後方向の寸法と、ノズル１２の位置により、ケーシング１の前面とノズル１２の吹き出し口の距離を最小に構成でき、ノズル１２がケーシング１の前面の近くに配置され、ノズル１２からの吹き出される風は後方に向かう。これにより、手挿入部３において手から前面側に向かって吹き飛ばされる水滴が少なくなり、使用者にとって使い勝手が良い。そして、ケーシング１の前面とノズル１２の吹き出し口との距離が１０ｍｍ以下とされることで、手挿入部３において手から前面側に向かって吹き飛ばされる水滴がより少なくなり、使用者にとってより使い勝手が良くなる。また、大人の使用者を想定した場合、ノズル１２の吹き出し口と背面側水受け部４ａとの距離が１１０ｍｍから１３０ｍｍ程度とされることで、手挿入部３の内部で使用者が手もみをしたときに手の全体に風が当たり、かつ使用者の手が手挿入部３に触れることがない。
【００４７】
手乾燥装置１００は、排気風路１３がシール部品前面３２ａよりも前方に配置され、ノズル１２から手挿入部３に吹き出される吹き出し風が、前後方向においてシール部品前面３２ａと同じ位置から後方下側に向かって吹き出されるので、手を挿入する十分な空間を確保しつつ、壁からの本体の突出を最小に抑えることができる。また、手から吹き飛ばされた水滴は、手に当たった後に背面側の背面側水受け部４ａに向かって吹き飛ばされるので、手挿入部３の下方にある水受け部４で確実に回収することができる。また、大人の使用者を想定した場合、ケーシング１の奥行寸法Ｄが１５０ｍｍ以下とされることで、使用者にとって使い勝手が良く、水滴を確実に回収できる衛生的な手乾燥装置１００を得ることができる。また、ケーシング１の奥行寸法Ｄが１５０ｍｍ以下とされることで、手乾燥装置１００が壁に取り付けられる場合の壁からの突出量が少なく、狭い洗面所および狭いトイレ空間に設置可能な手乾燥装置１００を得ることができる。
【００４８】
前後方向において、ノズル１２がシール部品前面３２ａよりも後方に配置されている場合には、ノズル１２がシール部品前面３２ａと同じ位置に配置されている場合よりも、前後方向におけるケーシング１の前面とノズル１２の吹き出し口との距離が長くなる。そして、この場合は、手挿入部３に手が挿入されても、ノズル１２から吹き出された吹き出し風が手の全体に当たらずに、手が十分に乾かない場合がある。この場合は、手挿入部３におけるケーシング１の前面側の領域であって吹き出し風が当たらない領域が広くなり、手挿入部３に挿入された手を十分に乾かすことができない。
【００４９】
吸気風路１０の前段には、高圧空気流発生装置８へ吸い込まれる空気中の塵埃を除去する樹脂製または金属製の図示しないフィルタがメンテナンスパネル２０と一体で成形され、ケーシング１の内側の側方へ着脱可能な状態で取り付けられている。フィルタは、ケーシング１の側面へのメンテナンスパネル２０の抜き差し動作で着脱できる。フィルタの面積は、吸気口９および吸気風路１０における通風方向に垂直な方向での断面積よりも大きくされている。なお、フィルタは、ＨＥＰＡ（Ｈｉｇｈ  Ｅｆｆｉｃｉｅｎｃｙ  Ｐａｒｔｉｃｕｌａｔｅ  Ａｉｒ）フィルタまたは抗菌フィルタであってもよい。
【００５０】
吸気口９は、ケーシング１の背面に設けられてもよい。吸気口９をケーシング１の背面に設ける場合は、ベース７の一部に吸気口９が配置される。ケーシング１の背面側に吸気口９を設けることで、手乾燥装置１００の外観の意匠性が向上する。
【００５１】
ケーシング１の上面には、図示しない操作スイッチ部が配置されている。操作スイッチ部には、制御回路への通電の入り切りを行う図示しない電源スイッチと、ノズル１２からの吹き出し風の風速の強弱を切り替えたり、ヒータ１５の入り切りを行う図示しない操作スイッチとが設けられている。
【００５２】
操作スイッチ部は、電源スイッチと操作スイッチとが実装された図示しない制御基板と、制御基板を上方から覆うように取り付けられた図示しない操作スイッチカバーとで構成されている。操作スイッチカバーは、アクリロニトリルブタジエンスチレン共重合合成樹脂（Ａｃｒｙｌｏｎｉｔｒｉｌｅ‐Ｂｕｔａｄｉｅｎｅ‐Ｓｔｙｒｅｎｅ：ＡＢＳ）またはポリプロピレン（Ｐｏｌｙｐｒｏｐｙｌｅｎｅ：ＰＰ）といった樹脂からなる樹脂製であり、電源スイッチと操作スイッチとを操作するための図示しない押しボタンが設けられている。押しボタンは、手で押しボタンを押した時に上下方向に可動するように、バネ性をもつ形状となっている。操作スイッチは、タクトスイッチ（登録商標）または静電容量式のスイッチが用いられる。
【００５３】
操作スイッチ部は、ケーシング１において吸気風路１０の上方に固定されている。ケーシング１には、ベース７にケーシング１が取り付けられたときに、操作スイッチ部がケーシング１の上面に現れるように上面開口部３７が設けられている。ケーシング１がベース７に取り付けられた状態では、上面開口部３７に操作スイッチ部がはまり込む構造となっている。ケーシング１と操作スイッチ部とは上面開口部３７の周辺位置で固定されており、上面開口部３７と操作スイッチ部との間に隙間なく取り付けることが可能とされている。なお、ケーシング１と操作スイッチ部との固定にはネジを用いてもよい。
【００５４】
また、操作スイッチ部は、ケーシング１に開閉可能に取り付けられた操作部パネル１８で覆われている。操作スイッチ部を操作する手順を説明する。まず、操作部パネル１８をケーシング１の左右方向の外側に向かって水平に移動させる。つぎに、操作部パネル１８を、操作部パネル１８の回転軸を中心にして上方に回転させて操作部パネル１８を開ける。操作部パネル１８の回転軸は、ケーシング１の左右方向に移動可能とされている。操作部パネル１８が「閉」の状態では、ケーシング１と操作部パネル１８との間に隙間が発生しない構造とされている。これにより、見栄えがよく、ケーシング１の内部への埃の侵入および水の浸入を防ぐことができる。また、操作部パネル１８を開ける際は、操作部パネル１８をケーシング１の左右方向の外側に向かって水平に移動させる必要があるため、操作方法を把握しているメンテナンス作業者以外の人が操作スイッチ部をいたずらすることを防止できる。
【００５５】
操作スイッチカバーの上面にはラベルまたはプラスチックフィルムが貼り付けられており、電源の入り切り、吹き出し風の風速の強弱の切り替え、およびヒータ１５の入り切りの状態表示説明が表示されている。また、操作スイッチカバーには、手乾燥装置１００の動作状態を示すためのＬＥＤ（Ｌｉｇｈｔ  Ｅｍｉｔｔｉｎｇ  Ｄｉｏｄｅ）が露出される開口が設けられている。ＬＥＤを透過させるために操作スイッチカバーに設けた開口は、ラベルまたはプラスチックフィルムによって覆われるため、ケーシング１の内部への水の浸入および埃の侵入を防止することが可能となる。
【００５６】
つぎに、ケーシング１に対するドレン容器６の着脱について説明する。図２に示すように左右のケーシングの側面１ａの下部には、底面側水受け部４ｂの固定底面部４１ｂよりも前方に突出してドレン容器６を支持する一対のケーシング係止突起部１９ａが設けられている。一方、ドレン容器６の両側面における後ろ側の内壁部には、ケーシング１のケーシング係止突起部１９ａが嵌め込まれる凹形状の一対のドレン容器係止受け部１９ｂが設けられている。ケーシング１がケーシング係止突起部１９ａを備え、ケーシング係止突起部１９ａを挿入可能なドレン容器係止受け部１９ｂをドレン容器６が備えることで、ドレン容器６を手乾燥装置１００の前後方向に抜き差しでき、ドレン容器６がケーシング１に対して着脱自在とされている。
【００５７】
したがって、ケーシング係止突起部１９ａとドレン容器係止受け部１９ｂとによって構成されるドレン容器６とケーシング１との嵌め合い構造の少なくとも一部がケーシング１の下部に設けられている。そして、手乾燥装置１００の前後方向において嵌め合い構造の少なくとも一部が固定底面部４１ｂと着脱底面部４２ｂとの分割部である排水口５より後方に位置することによって、水受け部４で受けた水が、分割部である排水口５より後方に位置している嵌め合い構造に到達することが無く、汚れが堆積することを抑制することが可能である。
【００５８】
ドレン容器６をケーシング１に装着する場合には、ケーシング１のケーシング係止突起部１９ａがドレン容器６のドレン容器係止受け部１９ｂに嵌め込まれる。これにより、図１および図４に示すように、ドレン容器６は、ケーシング１に固定され、ケーシング１から落ちることがない。そして、ケーシング１に対するドレン容器６の着脱は、底面側水受け部４ｂの着脱底面部４２ｂには関係なく、ケーシング１に対して独立して行われる。このため、ドレン容器６は、着脱底面部４２ｂがドレン容器６から取り外された状態でも、ケーシング１に対して固定されたままの状態を維持することができる。したがって、ドレン容器６とケーシング１とは嵌め合い構造によって連結されて固定可能とされている。
【００５９】
ドレン容器６がケーシング１に装着された状態においてドレン容器係止受け部１９ｂに挿入されたケーシング係止突起部１９ａがドレン容器６を支持する最も前面側の点は、図４に示すようにケーシング係止突起部１９ａの上面における最も前方側の点であるドレン容器支持点５２である。
【００６０】
前後方向におけるケーシング係止突起部１９ａの長さは、ドレン容器６がケーシング１に装着された状態において、ドレン容器６の重心位置であるドレン容器重心位置５１よりも前方側でドレン容器６を支持する長さに設定されている。上記構造とすることで、ドレン容器６がケーシング１に装着された状態において、ドレン容器重心位置５１は、ケーシング係止突起部１９ａのドレン容器支持点５２よりも後方側にある。これにより、手乾燥装置１００は、ドレン容器６の前方側が下方に傾いて装着されることを防止可能である。
【００６１】
また、図１に示すように、ドレン容器の側面６ｂとケーシングの側面１ａとの合わせ目５３は、使用者の目線に露出している。手乾燥装置１００は、ドレン容器６が前方側に下方に傾いて装着されることを防止することで、正しくない装着状態に起因した外観の意匠性の低下を防止可能である。
【００６２】
また、ドレン容器６の底面であるドレン容器底面５４は、後方側が下がる傾斜を有する傾斜形状とされている。また、ドレン容器底面５４における後方側の領域は、ケーシング１への取り付けのために、ドレン容器６がケーシング１に装着された状態において水平となる水平形状とされている。ドレン容器底面５４の傾斜形状は、前後方向において、ドレン容器６の正面側からドレン容器重心位置５１まで継続する形状、またはドレン容器６の正面側からドレン容器重心位置５１を後方に越えた位置まで継続する形状とされる。
【００６３】
そして、ドレン容器底面５４における傾斜形状とされた領域と、ドレン容器底面５４における水平形状とされた領域との、ドレン容器６がケーシング１に装着された状態における高さ位置、すなわち鉛直方向における位置を調整することによって、ドレン容器６に水が溜まった場合に、前後方向においてドレン容器重心位置５１よりも後方に溜まる水の容積が、ドレン容器重心位置５１よりも前方にたまる水の容積よりも大きくなる。すなわち、ドレン容器６に水が溜まった状態のドレン容器重心位置５５は、ドレン容器６に水が溜まっていない空の状態よりも、後方側に移動することになる。上記構造とすることで、ドレン容器６がケーシング１に装着された状態では、ドレン容器６に水が溜まった状態のドレン容器６の重心位置が、ケーシング係止突起部１９ａのドレン容器支持点５２よりもさらに後方側にある。これにより、手乾燥装置１００は、ドレン容器６が前方側に下方に傾いて装着されることを防止可能である。
【００６４】
また、手乾燥装置１００は、上記のようにドレン容器６に水が溜まった状態でもドレン容器６が前方側に下方に傾くことがないため、ドレン容器６に水が溜まったことによって合わせ目５３が傾くことがない。これにより、手乾燥装置１００は、ドレン容器の側面６ｂとケーシング１との間に隙間が生じることなく、ドレン容器６をケーシング１に装着することが可能となる。
【００６５】
一方、ドレン容器６をケーシング１から取り外す場合には、ドレン容器６を前方に引っ張ることで、ケーシング１のケーシング係止突起部１９ａがドレン容器６のドレン容器係止受け部１９ｂから引き抜かれる。これにより、ドレン容器６がケーシング１から取り外された状態とすることができる。
【００６６】
また、着脱底面部４２ｂの左右の端縁部には、防水壁４４によって構成される防壁構造４２ｂｂが設けられ、ケーシング１のケーシング係止突起部１９ａとドレン容器６のドレン容器係止受け部１９ｂとの合わせ目を覆っている。これにより、使用を継続することで汚れが徐々についていくケーシング１のケーシング係止突起部１９ａとドレン容器６のドレン容器係止受け部１９ｂとの合わせ目での汚れの蓄積を低減することができる。
【００６７】
つぎに、着脱底面部４２ｂのドレン容器６に対する着脱について説明する。図９は、本発明の実施の形態１にかかる手乾燥装置１００のドレン容器６と着脱底面部４２ｂとを連結した状態を示す断面図である。図１０は、本発明の実施の形態１にかかる手乾燥装置１００のドレン容器６と着脱底面部４２ｂとを連結する前の状態を示す断面図である。図１１は、本発明の実施の形態１にかかる手乾燥装置１００のドレン容器６から着脱底面部４２ｂを取り外した状態を示す断面図である。図１２は、本発明の実施の形態１にかかる手乾燥装置１００のドレン容器６と着脱底面部４２ｂとを連結した状態を示す断面図である。
【００６８】
着脱底面部４２ｂは、ドレン容器６に対して上方に取り付けられる。着脱底面部４２ｂは、ドレン容器６に対して単独で着脱自在とされており、ドレン容器６の後側から抜き差し可能とされている。すなわち、着脱底面部４２ｂにおける防壁構造４２ｂｂの上端の外周部は、ドレン容器６の上端部と同等の形状および寸法を有する。また、防壁構造４２ｂｂの上端の外周縁部における下面部は、ドレン容器６の上端部に対応した形状を有する。これにより、着脱底面部４２ｂの外周縁部の下面部がドレン容器６の上端部６ａに嵌ることで、着脱底面部４２ｂがドレン容器６上に固定される。したがって、ドレン容器６と着脱底面部４２ｂとは嵌め合い構造によって連結されて固定可能とされている。そして、着脱底面部４２ｂは、ドレン容器６がケーシング１から取り外された状態においてドレン容器６に対して着脱自在とされている。
【００６９】
また、ドレン容器６の左右の内壁の上部には、ドレン容器６の後ろ側からスライドさせて取り付けられる着脱底面部４２ｂと嵌め合うドレン容器嵌合部７１が設けられている。ドレン容器嵌合部７１の形状は、前後方向の長さが上下方向の長さよりも長い。すなわち、ドレン容器嵌合部７１は、奥行き方向の長さが高さ方向の長さよりも長い。ドレン容器嵌合部７１の後ろ側の下部の角部は、着脱底面部４２ｂを挿入しやすいように面取りされている。また、ドレン容器６の前方側の内壁の上部には、ドレン容器嵌合部７５が設けられている。
【００７０】
着脱底面部４２ｂには、ドレン容器嵌合部７１と嵌まり合う着脱底面部嵌合部７２が着脱底面部４２ｂの外側の側面に設けられている。着脱底面部嵌合部７２の形状は、前後方向の長さが上下方向の長さよりも長い。すなわち、着脱底面部嵌合部７２は、奥行き方向の寸法が高さ方向の寸法よりも長い。着脱底面部嵌合部７２の前方側の上部の角部は、ドレン容器６に挿入しやすいように面取りされている。また、着脱底面部４２ｂの前方側には、ドレン容器嵌合部７５と嵌り合う着脱底面部嵌合部７６が設けられている。
【００７１】
ドレン容器６と着脱底面部４２ｂを連結する際は、防壁構造４２ｂｂの上端の外周縁部における下面部がドレン容器の側面６ｂの上端部６ａ上に載置されるようにして、着脱底面部４２ｂをドレン容器６の後ろ側から前方側に向かって水平にスライドさせて連結させる。すなわち、着脱底面部４２ｂの左右の外周領域における下面部がドレン容器の側面６ｂの上端部６ａ上に載置されるようにして、着脱底面部４２ｂをドレン容器６の後ろ側から前方側に向かって水平にスライドさせて連結させる。
【００７２】
ドレン容器６と着脱底面部４２ｂとが連結した状態では、ドレン容器の側面６ｂの内壁の上部に設けられたドレン容器嵌合部７１の下部に、着脱底面部４２ｂに設けられた着脱底面部嵌合部７２が配置されて、ドレン容器嵌合部７１と着脱底面部嵌合部７２とが嵌り合う。また、ドレン容器６の前方側の内壁の上部に設けられたドレン容器嵌合部７５の下部に、着脱底面部４２ｂに設けられた着脱底面部嵌合部７６が当接し、ドレン容器嵌合部７５と着脱底面部嵌合部７６とが嵌り合う。これにより、ドレン容器６と着脱底面部４２ｂとがドレン容器６の上下方向において固定され、着脱底面部４２ｂのがたつきが防止される。
【００７３】
着脱底面部４２ｂを取り外すときは、ケーシング１からドレン容器６を取り外した後、着脱底面部４２ｂをドレン容器６の後ろ側へスライドさせることで、ドレン容器６から着脱底面部４２ｂを取り外すことができる。
【００７４】
上述したように、手乾燥装置１００は、ドレン容器６から着脱底面部４２ｂを上方に取り外すことができない構造とされている。これにより、使用者が手乾燥装置１００を使用する際には、手に衝突した空気流が背面側水受け部４ａに向かって流れ、背面側水受け部４ａに沿って、固定底面部４１ｂと着脱底面部４２ｂとの分割部に隙間を設けて構成された排水口５に流れ込む。しかしながら、手乾燥装置１００は、ドレン容器６から着脱底面部４２ｂを上方に取り外すことができないため、排水口５に流れ込む空気流の風圧によって着脱底面部４２ｂが上方に浮き上がることが防止される。
【００７５】
ドレン容器６の後ろ側には、図２から図１１に示すように、上面から上方に向かって突出するドレン容器後部突起部７７が設けられている。ドレン容器後部突起部７７は、ドレン容器６の後ろ側に設けられた背面側の外枠６ｃの上面から上方に突出して２つ配置されている。ドレン容器後部突起部７７は、背面側の外枠６ｃの内壁から前方に突出してドレン容器６における後ろ側の領域を覆う蓋部４６の上面から、背面側の外枠６ｃ上にわたって設けられている。ドレン容器後部突起部７７は、ドレン容器６をケーシング１に取り付けた状態において、ケーシング係止突起部１９ａとドレン容器係止受け部１９ｂとによって構成されるドレン容器６とケーシング１との嵌め合い構造よりも後方であり、固定底面部４１ｂの下部となる位置に設けられている。そして、ドレン容器後部突起部７７の上面は、ドレン容器６がケーシング１に取り付けられた状態で、固定底面部４１ｂの裏側、すなわち固定底面部４１ｂの下面に接する。すなわち、ドレン容器後部突起部７７の上面は、ドレン容器係止受け部１９ｂよりも後方で固定底面部４１ｂの下面に接する。
【００７６】
着脱底面部４２ｂとドレン容器６とをケーシング１に取り付けた状態で清掃する場合は、着脱底面部４２ｂとドレン容器６とを濡れた雑巾で拭く拭き清掃が行われる。このとき、着脱底面部４２ｂの上面から下方に向かって負荷が掛かり、ドレン容器６にも下方に負荷が加わる。手乾燥装置１００では、ドレン容器６をケーシング１に取り付けた状態で、固定底面部４１ｂの裏側、すなわち固定底面部４１ｂの裏側の下面にドレン容器後部突起部７７の上面が接することで、ドレン容器６が固定底面部４１ｂの下面に固定される。これにより、ケーシング１に取り付けられたドレン容器６は、がたつきが無い状態とされる。
【００７７】
したがって、手乾燥装置１００は、ドレン容器６がケーシング１に取り付けられた状態でドレン容器６に下方に負荷が加わっても、ドレン容器６ががたつくことがなく、無理なく拭き清掃することが可能である。また、ドレン容器６がケーシング１に取り付けられた状態でドレン容器６に下方に負荷が加わってもドレン容器６ががたつかないため、手乾燥装置１００の側面側におけるケーシングの側面１ａとドレン容器の側面６ｂとの合わせ目５３に隙間が発生することを防ぐことが可能となる。また、固定底面部４１ｂの裏側の下面にドレン容器後部突起部７７の上面が接することで、ドレン容器６のケーシング１への装着時における装着強度が増加する。これにより、ドレン容器６が満水の時でも、ドレン容器６は傾くことがない。したがって、手乾燥装置１００は、ケーシング１に着脱可能なドレン容器６のケーシング１との連結の信頼性を向上させることができる。
【００７８】
また、ドレン容器後部突起部７７の上面は、円状または四角形状となっている。そして、ドレン容器後部突起部７７は、ドレン容器６の後ろ側の左右の外枠の幅の範囲内の狭い幅で形成されている。すなわち、ドレン容器後部突起部７７の面積は、固定底面部４１ｂの下面の面積に比べて非常に小さい面積とされている。
【００７９】
ドレン容器６と着脱底面部４２ｂは、ドレン容器嵌合部７１と着脱底面部嵌合部７２との嵌合、およびドレン容器嵌合部７５と着脱底面部嵌合部７６との嵌合で連結される。そして、ドレン容器６をケーシング１に取り付けた状態で、ドレン容器後部突起部７７が固定底面部４１ｂの下面に接触するようになっている。
【００８０】
固定底面部４１ｂの下面にはドレン容器後部突起部７７のみが当接し、ドレン容器後部突起部７７の面積が固定底面部４１ｂの下面の面積に比べて非常に小さい面積とされていることにより、ドレン容器６の挿抜時においても固定底面部４１ｂの下面との摩擦が小さくなる。これにより、ドレン容器後部突起部７７と固定底面部４１ｂの下面との接触がドレン容器６の挿入性に悪影響を及ぼすことがない。したがって、手乾燥装置１００は、固定底面部４１ｂの下面に着脱底面部４２ｂが引っかかることなくドレン容器６をケーシング１に挿抜可能である。
【００８１】
また、ドレン容器６がケーシング１に取り付けられた状態において、着脱底面部４２ｂは、固定底面部４１ｂと離間している。したがって、手乾燥装置１００は、ドレン容器６をケーシング１に挿抜する際にも着脱底面部４２ｂと固定底面部４１ｂとが擦れることがなく、着脱底面部４２ｂと固定底面部４１ｂとがドレン容器６の挿入性に悪影響を及ぼすことがない。
【００８２】
また、ドレン容器後部突起部７７が複数設けられることで、ドレン容器６が固定底面部４１ｂの下面により強固に固定され、ドレン容器６のケーシング１への装着時における装着強度が増加する。
【００８３】
また、ドレン容器後部突起部７７が固定底面部４１ｂの下面と接触するか、または製造時の寸法公差によりドレン容器後部突起部７７と固定底面部４１ｂの下面との間に隙間が生じた場合でもほぼ隙間の無い構造となるので、がたつくことなくスムーズな挿抜が可能となる。
【００８４】
また、子どもがいたずらでドレン容器６にぶら下がったり、ドレン容器６を無理に下方に押したりした場合でも、ドレン容器後部突起部７７を設けたことで、ドレン容器６の前方部分が下方に傾くことを防ぐことが可能となる。
【００８５】
また、ドレン容器後部突起部７７は、上面が円状または四角形状で高さが低い形状とされている。これにより、ドレン容器後部突起部７７は、いたずらなどでドレン容器６に下方に負荷が掛けられた場合でも折れたり破損したりすることがなく、またドレン容器６の挿抜が繰り返し行われた場合でも破損することがない。
【００８６】
したがって、手乾燥装置１００は、使用を継続するにつれて汚れが溜まりやすく使用者の目線に入る着脱底面部４２ｂを、ドレン容器６をケーシング１から取り外すことなく、無理なく拭き清掃することが可能である。
【００８７】
また、手乾燥装置１００は、ドレン容器６をケーシング１から取り外した後に、着脱底面部４２ｂをドレン容器６から取り外して容易に清掃することができる。したがって、ドレン容器６に溜まった水を廃棄する際に、着脱底面部４２ｂをドレン容器６から取り外して容易に清掃することができる。
【００８８】
つぎに、手乾燥装置１００における水滴の回収について説明する。使用者が手挿入部３に手を挿入すると、高圧空気流発生装置８が作動し、ノズル１２から高速空気が吹き出される。これにより、高速空気によって手から水滴が吹き飛ばされる。手から吹き飛ばされた水滴は、水受け部４で受け止められる。上述したように、水受け部４の底面側水受け部４ｂにおいては、重複領域４３において、着脱底面部４２ｂにおける後ろ側の外縁領域４２ｂａと、固定底面部４１ｂにおける前方側の外縁領域４１ｂａとの間の隙間である排水口５が設けられている。
【００８９】
水受け部４で受け止められた水滴は、排水口５に送られ、水受け部４の下方に配置されたドレン容器６に回収される。着脱底面部４２ｂに受け止められた水滴は、着脱底面部４２ｂ上を流れて排水口５に到達し、排水口５からドレン容器６に滴下する。一方、固定底面部４１ｂに受け止められた水滴は、前方に流れて排水口５に到達し、排水口５からドレン容器６に滴下する。また、背面側水受け部４ａに受け止められた水滴は、固定底面部４１ｂに流れ、固定底面部４１ｂを前方に流れて排水口５に到達し、排水口５からドレン容器６に滴下する。このように、水受け部４で受け止められた水滴は、底面側水受け部４ｂにおける固定底面部４１ｂと着脱底面部４２ｂとの分割部に設けられた隙間である排水口５を通してドレン容器６へ導かれる。
【００９０】
これにより、底面側水受け部４ｂにおける固定底面部４１ｂと着脱底面部４２ｂとの分割部に汚れが堆積することを抑制できる。すなわち、固定底面部４１ｂと着脱底面部４２ｂとの分割部に隙間を設けて排水口５とすることで、水滴で分割部の汚れが流されるため、分割部に汚れが堆積することを抑制できる。また、固定底面部４１ｂと着脱底面部４２ｂとは、直接固定されておらず、固定底面部４１ｂと着脱底面部４２ｂとは嵌め合い構造によって固定される構造ではないため、底面側水受け部４ｂの形状が簡単になり、清掃性が向上する。
【００９１】
また、水受け部４で受け止められた水滴がドレン容器６に流れる過程の中で、底面側水受け部４ｂには汚れが蓄積しやすい。底面側水受け部４ｂは、使用者の目線に主に露出しており、清掃頻度が少ない場合には美観を損ねる。
【００９２】
ここで、着脱底面部４２ｂは、ケーシング１に対して着脱されるのではなく、上述したようにドレン容器６上に単独で着脱される構成とされている。これにより、着脱底面部４２ｂは、工具を使用しなくても単独で容易に取り外しが可能である。したがって、手乾燥装置１００は、汚れが蓄積しやすく頻繁に掃除しなければならない着脱底面部４２ｂを取り外して容易に清掃することができるため、水受け部４の衛生性および清潔性を保つことができ、また水受け部４の清掃性およびメンテナンス性が向上する。なお、ドレン容器６に対する着脱底面部４２ｂの固定方法は、嵌め合い構造以外に爪構造であっても同様の効果が得られる。
【００９３】
またドレン容器６をケーシング１から取り外すことで、固定底面部４１ｂを容易に清掃することが可能である。したがって、手を乾燥する際に飛び散った水滴は固定底面部４１ｂに付着し、使用を継続すると汚れが徐々についてくるが、固定底面部４１ｂを容易に清掃することができる。
【００９４】
また、着脱底面部４２ｂは、ドレン容器６に支持されており、固定底面部４１ｂとは固定されていない。そして、上述したようにドレン容器６は、ケーシング１に直接支持されている。これにより、ドレン容器６の満水時にドレン容器６に溜まった水の重量が重くなった場合でも、着脱底面部４２ｂと固定底面部４１ｂとに直接力が加わるということがないため、分割部の構造を簡単にでき、水受け部４の清掃性を向上できる。
【００９５】
また、着脱底面部４２ｂが固定底面部４１ｂとは係止されない構造とすることで、着脱底面部４２ｂおよび固定底面部４１ｂを凹凸の少ない単純形状で構成することができるため、底面側水受け部４ｂの清掃が容易となる。
【００９６】
また、手乾燥装置１００は、汚れの溜まりやすい着脱底面部４２ｂをケーシング１に係止させずにドレン容器６に係止させる構造とされている。そして、着脱底面部４２ｂをドレン容器６に嵌め合わせて係止するための嵌め合い構造部１１が、着脱底面部４２ｂの外周縁部の下部に設けられている。すなわち、手乾燥装置１００は、嵌め合い構造部１１が手乾燥装置１００の外装面に面した構成とされている。この構成により、手乾燥装置１００は、使用を継続することで汚れが徐々についていく部品の合わせ目、すなわち着脱底面部４２ｂとドレン容器６との合わせ目である嵌め合い構造部１１を、水滴が直接吹き飛ぶ手挿入部３に面する領域外に配置することができる。したがって、手乾燥装置１００は、底面側水受け部４ｂで受けた水が嵌め合い構造部１１に到達しないので、嵌め合い構造部１１に汚れが堆積することを抑制でき、清掃頻度が少なくても、底面側水受け部４ｂの周辺の美観を保つことが可能となる。
【００９７】
また、ドレン容器６の上方に配置した着脱底面部４２ｂによって、使用を継続することで汚れが徐々についていく着脱底面部４２ｂを係止するための嵌め合い構造部１１を、使用者の上方からの目線に対して覆い隠すことができる。これにより、底面側水受け部４ｂの周辺の外観に起因して、使用者が手挿入部３に手を挿入したくないという不快感を軽減することが可能となる。
【００９８】
また、水受け部４は、背面側水受け部４ａと底面側水受け部４ｂとの２部品で構成されており、分割部が１箇所とされている。一般的に、部品の分割部は汚れが堆積しやすい。しかしながら、水受け部４は、分割部が１箇所なので、汚れの堆積箇所を最低限にできる。
【００９９】
また、水受け部４の左右方向および前方の端縁部には、前方または上方に突出した曲面構成の立ち上がりによる防水壁４４が設けられている。そして、ドレン容器６とケーシング１との嵌め合い構造は防水壁４４の下部に設けられている。このため、防水壁４４で受け止められた水滴は、速やかに着脱底面部４２ｂまたは固定底面部４１ｂに流れ、排水口５を通してドレン容器６へ導かれる。これにより、防水壁４４で受け止められた水滴はドレン容器６とケーシング１との嵌め合い構造に到達しにくく、嵌め合い構造に汚れが堆積することを抑制できる。
【０１００】
上述したように、本実施の形態１にかかる手乾燥装置１００は、防水壁立ち上がり部４４ａと防水壁傾斜部４４ｂとを有する防水壁４４を水受け部４の端縁部に備えることにより、手から吹き飛ばされて防水壁４４に付着した水滴を速やかに水受け部４に流してドレン容器６に回収することが可能である。これにより、手乾燥装置１００は、防水壁４４の上面に残った水滴がつぎの使用者の手に当たった空気流によって手乾燥装置１００の外部に飛散することを抑制できる。これにより、手乾燥装置１００は、使用後に防水壁４４上に残った水滴が床または手乾燥装置１００の下方の洗面台を濡らすこと、および手乾燥装置１００から床または洗面台を濡らした水滴が乾くことに起因した臭いの発生を抑制できる。
【０１０１】
また、手乾燥装置１００は、防水壁４４の上面に水滴が残ることを抑制できるため、防水壁４４の上面に残った水滴が乾くことに起因した臭いの発生を抑制できる。
【０１０２】
したがって、手乾燥装置１００は、手乾燥装置１００の衛生性と、手乾燥装置１００が設置された周囲の衛生性とを向上させることができる。
【０１０３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１０４】
１  ケーシング、１ａ  ケーシングの側面、２  手挿入口、３  手挿入部、４  水受け部、４ａ  背面側水受け部、４ｂ  底面側水受け部、５  排水口、６  ドレン容器、６ａ  上端部、６ｂ  ドレン容器の側面、６ｃ  外枠、７  ベース、８  高圧空気流発生装置、９  吸気口、１０  吸気風路、１１  嵌め合い構造部、１２  ノズル、１３  排気風路、１４  手検知センサ、１５  ヒータ、１６  固定保持板、１８  操作部パネル、１９ａ  ケーシング係止突起部、１９ｂ  ドレン容器係止受け部、２０  メンテナンスパネル、３１  モータカバー、３２  シール部品、３２ａ  シール部品前面、３７  上面開口部、４１ｂ  固定底面部、４１ｂａ，４２ｂａ  外縁領域、４１ｂｂ  突出部、４２ｂ  着脱底面部、４２ｂｂ  防壁構造、４３  重複領域、４４  防水壁、４４ａ  防水壁立ち上がり部、４４ｂ  防水壁傾斜部、４６  蓋部、５１，５５  ドレン容器重心位置、５２  ドレン容器支持点、５３  合わせ目、５４  ドレン容器底面、７１，７５  ドレン容器嵌合部、７２，７６  着脱底面部嵌合部、７７  ドレン容器後部突起部、１００  手乾燥装置、１１１  仮想垂直面、１１２  仮想平行面、４４１，４４２  底面側の防水壁、４４１ａ，４４２ａ  底面側の防水壁立ち上がり部、４４１ｂ，４４２ｂ  底面側の防水壁傾斜部、４４３  背面側の防水壁、４４３ａ  背面側の防水壁立ち上がり部、４４３ｂ  背面側の防水壁傾斜部、Ｄ  奥行寸法、α１，α３，β１，β３  傾斜角度。
【図１】
0006800341.tif 000002
【図２】
0006800341.tif 000003
【図３】
0006800341.tif 000004
【図４】
0006800341.tif 000005
【図５】
0006800341.tif 000006
【図６】
0006800341.tif 000007
【図７】
0006800341.tif 000008
【図８】
0006800341.tif 000009
【図９】
0006800341.tif 000010
【図１０】
0006800341.tif 000011
【図１１】
0006800341.tif 000012
【図１２】
0006800341.tif 000013